(57)【要約】【課題】操作上の利便性を高めることができる三次元画像用眼鏡を提供する。【解決手段】三次元画像を表示可能な表示装置に表示される三次元画像に基づき、装着した使用者が三次元画像感覚を得ることが可能な三次元画像用眼鏡において、前記表示装置を操作するための操作部と、前記操作部における操作に応じた無線信号を前記表示装置に送信する送信部と、を備えた構成とする。【選択図】図３
2012114840.tif 000002
【特許請求の範囲】
【請求項１】
三次元画像を表示可能な表示装置に表示される三次元画像に基づき、装着した使用者が三次元画像感覚を得ることが可能な三次元画像用眼鏡において、
前記表示装置を操作するための操作部と、前記操作部における操作に応じた無線信号を前記表示装置に送信する送信部と、を備えたことを特徴とする三次元画像用眼鏡。
【請求項２】
前記表示装置はテレビ装置であり、前記操作部は放送チャンネル操作キーおよび音量操作キーを有していることを特徴とする請求項１に記載の三次元画像用眼鏡。
【請求項３】
前記操作部はメニューキーをさらに備え、メニュー画面が前記表示装置に表示されている状態では前記放送チャンネル操作キーおよび前記音量操作キーはカーソル操作キーとして機能し、前記メニューキーは決定キーとして機能することを特徴とする請求項２に記載の三次元画像用眼鏡。
【請求項４】
前記メニュー画面では、２種類以上の機能の選択項目が一画面に表示されることを特徴とする請求項３に記載の三次元画像用眼鏡。
【請求項５】
左右に設けられる液晶シャッターと、前記表示装置から同期信号を受信する受信部と、前記受信部を介して受信した同期信号に応じて前記液晶シャッターを開閉制御する制御部と、を備えた請求項１〜請求項４のいずれかに記載の三次元画像用眼鏡。
【発明の詳細な説明】
【技術分野】
【０００１】
本発明は、装着した使用者が三次元画像感覚を得ることが可能な三次元画像用眼鏡に関するものである。
【背景技術】
【０００２】
近年、二次元画像のみならず三次元画像を表示可能なテレビ装置が登場している。二次元的に表示される画像を鑑賞者に三次元画像として認識させる方式としては視差を利用するものが一般的である。視差方式では鑑賞者は三次元画像用眼鏡を装着する。
【０００３】
三次元画像表示方式としては、二次元的に左目用画像と右目用画像を交互に表示し、表示と同期させて三次元画像用眼鏡が有する左右の液晶シャッターを開閉するいわゆるアクティブシャッター方式と呼ばれるものがある（例えば、特許文献１）。
【０００４】
また、偏光状態の異なる左目用画像と右目用画像を表示し、左右で透過させる偏光光が異なる偏光フィルタを備えた三次元画像用眼鏡で鑑賞するいわゆるパッシブ方式と呼ばれるものもある（例えば、特許文献２）。
【先行技術文献】
【特許文献】
【０００５】
【特許文献１】特開平６−２３１４９号公報
【特許文献１】特開２００６−８４９６４号公報
【発明の概要】
【発明が解決しようとする課題】
【０００６】
しかしながら、従来の三次元画像を表示可能なテレビ装置では、視聴中に操作を行うために使用者がリモコン装置を探す必要がある場合があり、使用者にとって煩わしいといった問題があった。
【０００７】
上記問題点を鑑み、本発明は、操作上の利便性を高めることができる三次元画像用眼鏡を提供することを目的とする。
【課題を解決するための手段】
【０００８】
上記目的を達成するために本発明は、三次元画像を表示可能な表示装置に表示される三次元画像に基づき、装着した使用者が三次元画像感覚を得ることが可能な三次元画像用眼鏡において、
前記表示装置を操作するための操作部と、前記操作部における操作に応じた無線信号を前記表示装置に送信する送信部と、を備えた構成とする。
【０００９】
このような構成によれば、三次元画像用眼鏡を装着した使用者は、従来のようにリモコン装置を探す必要もなく、三次元画像用眼鏡に設けられた操作部を操作することで表示装置を操作できるので、操作上の利便性を高めることができる。
【００１０】
また、上記構成において、前記表示装置はテレビ装置であり、前記操作部は放送チャンネル操作キーおよび音量操作キーを有している構成としてもよい。
【００１１】
このような構成によれば、放送チャンネル操作および音量操作といったテレビ装置の必要最低限の操作を三次元画像用眼鏡により行うことができ、利便性が高い。
【００１２】
また、上記構成において、前記操作部はメニューキーをさらに備え、メニュー画面が前記表示装置に表示されている状態では前記放送チャンネル操作キーおよび前記音量操作キーはカーソル操作キーとして機能し、前記メニューキーは決定キーとして機能する構成としてもよい。
【００１３】
このような構成によれば、キーの機能を共用することでキーの数を増やすことなく、メニュー画面からより細かい操作を行うことが可能となる。
【００１４】
また、上記構成において、前記メニュー画面では、２種類以上の機能の選択項目が一画面に表示されるようにしてもよい。
【００１５】
このような構成によれば、階層化されたメニュー画面のように操作手順が多く煩わしいといったこともなく、即座に所望の操作を行うことができる。
【００１６】
また、上記いずれかの構成において、左右に設けられる液晶シャッターと、前記表示装置から同期信号を受信する受信部と、前記受信部を介して受信した同期信号に応じて前記液晶シャッターを開閉制御する制御部と、を備えた構成としてもよい。
【００１７】
このような構成によれば、液晶シャッター制御に必要な電源部を、操作部の操作に応じた無線信号の送信にも共用できる。
【発明の効果】
【００１８】
本発明によると、従来のようにリモコン装置を探す必要もなく、三次元画像用眼鏡に設けられた操作部を操作することで表示装置を操作できるので、操作上の利便性を高めることができる。
【図面の簡単な説明】
【００１９】
【図１】本発明の一実施形態に係るテレビ装置の概略構成を示す図である。
【図２】本発明の一実施形態に係る三次元画像用眼鏡の外観を示す図である。
【図３】本発明の一実施形態に係る三次元画像用眼鏡のブロック構成を示す図である。
【図４】本発明に係るメニュー画面の一例を示す図である。
【発明を実施するための形態】
【００２０】
以下に本発明の実施形態を図面を参照して説明する。本発明の一実施形態に係る三次元画像表示が可能であるテレビ装置の概略構成を図１に示す。なお、本実施形態では、三次元画像表示方式としてアクティブシャッター方式を例として説明する。
【００２１】
図１に示すテレビ装置は、チューナ１、３、５と、ＰＳＫ（Phase Shift Keying）復調部２と、ＯＦＤＭ（Orthogonal Frequency Division Multiplexing）復調部４と、アナログ復調部６と、第１外部入力部７と、第２外部入力部８と、ＡＶセレクタ９と、信号処理部１０と、音声出力部１１と、スピーカ１２と、ＯＳＤ（On Screen Display）部１３と、２Ｄ／３Ｄセレクタ１４と、２Ｄ／３Ｄ変換部１５と、映像出力部１６と、表示部１７と、制御部１８と、赤外受信部１９と、同期信号送信部２０と、を備えている。チューナ１にはアンテナ３０が接続され、チューナ３、５にはアンテナ４０が接続される。
【００２２】
アンテナ３０としては、通常、パラボラアンテナが用いられる。チューナ１は、ＢＳ／ＣＳ衛星デジタル放送受信用であり、制御部１８の制御によって選局を行い、選局された衛星デジタル放送信号を出力する。ＰＳＫ復調部２は、選局された衛星デジタル放送信号をデジタルの映像信号と音声信号に復調する。
【００２３】
アンテナ４０としては、地上波受信用の例えば、八木アンテナが用いられる。チューナ３は、地上デジタル放送受信用であり、制御部１８の制御によって選局を行い、選局された地上デジタル放送信号を出力する。ＯＦＤＭ復調部４は、選局された地上デジタル放送信号をデジタルの映像信号と音声信号に復調する。また、チューナ５は、アナログ放送受信用であり、制御部１８の制御によって選局を行い、選局されたアナログ放送信号を出力する。アナログ復調部６は、選局されたアナログ放送信号をアナログの映像信号と音声信号に復調する。
【００２４】
第１外部入力部７および第２外部入力部８は、接続された外部映像音声機器から入力される映像音声信号をＡＶセレクタ９へ出力する。
【００２５】
ＡＶセレクタ９は、ＰＳＫ復調部２の出力、ＯＦＤＭ復調部４の出力、アナログ復調部６の出力、第１外部入力部７の出力並びに第２外部入力部８の出力から選択して信号処理部１０に出力する。信号処理部１０は、ＡＶセレクタ９から入力される映像音声信号に所定の処理を行い、処理後のデジタル音声信号を音声出力部１１に出力し、処理後のデジタル映像信号をＯＳＤ部１３に出力する。
【００２６】
音声出力部１１は、入力されたデジタル音声信号をスピーカ１２に適したアナログ音声信号に変換する。スピーカ１２は、アナログ音声信号に基づき音声を発生する。
【００２７】
ＯＳＤ部１３は、信号処理部１０から入力されたデジタル映像信号にＯＳＤ信号を重畳させて重畳後の映像信号を２Ｄ／３Ｄセレクタ１４に出力する。なお、ＯＳＤ部１３は重畳をせずにＯＳＤ信号のみを２Ｄ／３Ｄセレクタ１４に出力する場合もある。
【００２８】
２Ｄ／３Ｄセレクタ１４は、ＯＳＤ部１３から入力された映像信号を２Ｄ／３Ｄ変換部１５に出力するか否かを切替える。２Ｄ／３Ｄ変換部１５は、入力された２次元画像の映像信号を３次元画像の映像信号に変換する。従って、２Ｄ／３Ｄ変換部１５からは左目用画像および右目用画像が交互に映像出力部１６に出力される。
【００２９】
映像出力部１６は、２Ｄ／３Ｄセレクタ１４または２Ｄ／３Ｄ変換部１５から入力された映像信号を表示部１７の入力信号形式に変換して出力する。表示部１７は、例えば液晶ディスプレイであり、映像出力部１６から入力された映像信号に基づき映像を表示する。
【００３０】
制御部１８は、不図示のＣＰＵ、ＲＯＭ、ＲＡＭ等を有し、テレビ装置１００全体を制御する。赤外受信部１９は、後述する三次元画像用眼鏡から赤外線信号を受信し、受信した赤外線信号をコード信号に変換して制御部１８に出力する。同期信号送信部２０は、左目用画像と右目用画像の表示に後述する三次元画像用眼鏡のシャッター動作を同期させる同期信号を三次元画像用眼鏡に送信する。
【００３１】
次に、本発明の一実施形態に係る三次元画像用眼鏡の外観図を図２に示す。また、図２に示す三次元画像用眼鏡のブロック構成を図３に示す。
【００３２】
図３に示す三次元画像用眼鏡２００は、操作部２２と、液晶シャッター２３と、赤外送信部２４と、同期信号受信部２５と、制御部２６と、を備えている。このうち、赤外送信部２４と、同期信号受信部２５と、制御部２６はフレーム２１（図２）に埋め込まれている。液晶シャッター２３は、フレーム２１の前方左右に取り付けられる（図２）。また、蓄電池またはリチウム電池等を有する電源部（不図示）も三次元画像用眼鏡２００に設けられ、電源部は各部に電力を供給する。
【００３３】
制御部２６は、上述したテレビ装置１００の同期信号送信部２０から送信された同期信号を同期信号受信部２５を介して受信し、受信した同期信号に応じて左右の液晶シャッター２３を開閉制御する。これにより、三次元画像用眼鏡２００を装着した使用者は、テレビ装置１００の表示部１７に交互に表示される左目用画像と右目用画像をそれぞれ左目および右目で交互に見ることとなり、視差により三次元画像感覚を得ることができる。
【００３４】
図２に示すように、操作部２２はチャンネルアップキー２２ａ、チャンネルダウンキー２２ｂ、音量アップキー２２ｃ、音量ダウンキー２２ｄ並びにメニューキー２２ｅを有しており、これらのキーはフレーム２１の左側面部に押圧可能に設けられる。制御部２６は、操作部２２から押圧されたキーに応じた操作検出信号を受信し、受信した操作検出信号に応じたコード信号を赤外送信部２４に送信する。赤外送信部２４は、コード信号を赤外線信号に変換してテレビ装置１００の赤外受信部１９に送信する。
【００３５】
チャンネルアップキー２２ａが押圧された場合は、赤外送信部２４からその旨の赤外線信号が送信され、テレビ装置１００の赤外受信部１９により受信される。そして、制御部１８は、赤外受信部１９からコード信号を受信すると、現在テレビ放送（衛星デジタル放送、地上デジタル放送、アナログ放送のいずれか）が入力ソースとして選択されている場合（ＡＶセレクタ９による選択）、選択されている放送のチューナ（チューナ１、３、５のいずれか）が現在の一つ上のチャンネルを選局するよう制御する。これにより、一つ上のチャンネルの放送視聴に切替る。チャンネルダウンキー２２ｂが押圧された場合は、同様の動作により一つ下のチャンネルの放送視聴に切替る。
【００３６】
音量アップキー２２ｃが押圧された場合は、赤外送信部２４からその旨の赤外線信号が送信され、テレビ装置１００の赤外受信部１９により受信される。そして、制御部１８は、赤外受信部１９からコード信号を受信すると、音声出力部１１に音量を上昇させるよう指示する。これにより、スピーカ１２から発生される音声の音量が上昇する。また、音量ダウンキー２２ｄが押圧された場合は、同様の動作によりスピーカ１２から発生される音声の音量が減少する。
【００３７】
このように、三次元画像用眼鏡２００を装着した使用者は、三次元画像用眼鏡２００の側面に設けられたキーを操作することにより、チャンネルアップダウン、音量アップダウンといったテレビ装置１００の基本的な操作を行うことができ、従来のようにリモコン装置を探す必要もなく利便性が高くなる。
【００３８】
また、三次元画像用眼鏡２００のメニューキー２２ｅが押圧された場合は、赤外送信部２４からその旨の赤外線信号が送信され、テレビ装置１００の赤外受信部１９により受信される。そして、制御部１８は、赤外受信部１９からコード信号を受信すると、ＯＳＤ部１３を制御し、表示部１７に図４に示すメニュー画面を表示させる。
【００３９】
図４に示すメニュー画面では、入力ソース切替え機能の選択項目（アナログ放送、地上デジタル放送、ＢＳデジタル放送、ＣＳデジタル放送、外部入力１、外部入力２）と、２Ｄ／３Ｄ切替え機能の選択項目（２Ｄ映像、３Ｄ映像）が表示される。ここで、音量アップキー２２ｃはカーソルを上に移動させるキーとして、音量ダウンキー２２ｄはカーソルを下に移動させるキーとして機能する。また、チャンネルアップキー２２ａはカーソルを左に移動させるキーとして、チャンネルダウンキー２２ｂはカーソルを右に移動させるキーとして機能する。
【００４０】
これらのキーにより或る選択項目が選択された状態でメニューキー２２ｅが押圧されると、選択された項目に応じた動作が行われる。つまり、メニューキー２２ｅは決定キーとして機能する。入力ソース切替え機能の選択項目が選択決定された場合は、制御部１８は選択された入力ソースをＡＶセレクタ９に選択させる。また、２Ｄ／３Ｄ切替え機能の選択項目が選択された場合は、制御部１８は選択された項目に応じて２Ｄ／３Ｄセレクタ１４を切替える。
【００４１】
このように、三次元画像用眼鏡２００を装着した使用者は、三次元画像用眼鏡２００の側面に設けられたメニューキー２２ｅを押圧してメニュー画面をテレビ装置１００に表示させることにより、リモコン装置無しでも細かい操作を行うことが可能となる。メニュー画面では、２種類の機能の選択項目を一画面に表示して選択決定できるようにしているので、階層化されたメニュー画面のように操作手順が多くて煩わしいということがない。
【００４２】
以上、本発明の実施形態について説明したが、本発明の趣旨の範囲内であれば、実施形態は種々変更が可能である。
【００４３】
例えば、上述した三次元画像用眼鏡２００の例えばメニューキー２２ｅを一定時間押圧すれば、テレビ装置１００の制御部１８がこれを検知し、テレビ装置１００の電源をオンまたはオフする制御を行うようにしてもよい。
【００４４】
また、メニューキー２２ｅを押圧することにより表示されるメニュー画面では、２種類の機能に限らず３種類以上の機能の選択項目を一画面に表示させるようにしてもよい（例えば、音質設定機能、画質設定機能を追加する等）。
【００４５】
また、三次元画像表示の方式としては、アクティブシャッター方式に限らず、例えば、パッシブ方式に適用してもよい。この場合、偏光フィルタを備えた三次元画像用眼鏡には、電源部を追加する必要がある。
【符号の説明】
【００４６】
１    チューナ
２    ＰＳＫ復調部
３    チューナ
４    ＯＦＤＭ復調部
５    チューナ
６    アナログ復調部
７    第１外部入力部
８    第２外部入力部
９    ＡＶセレクタ
１０    信号処理部
１１    音声出力部
１２    スピーカ
１３    ＯＳＤ部
１４    ２Ｄ／３Ｄセレクタ
１５    ２Ｄ／３Ｄ変換部
１６    映像出力部
１７    表示部
１８    制御部
１９    赤外受信部
２０    同期信号送信部
２１    フレーム
２２    操作部
２２ａ    チャンネルアップキー
２２ｂ    チャンネルダウンキー
２２ｃ    音量アップキー
２２ｄ    音量ダウンキー
２２ｅ    メニューキー
２３    液晶シャッター
２４    赤外送信部
２５    同期信号受信部
２６    制御部
１００    テレビ装置
２００    三次元画像用眼鏡
【図１】
2012114840.tif 000003
【図２】
2012114840.tif 000004
【図３】
2012114840.tif 000005
【図４】
2012114840.tif 000006